(57)【要約】【課題】解析されにくい妨害磁界を発生させることのできる磁気記録媒体処理装置、および磁気記録媒体処理装置における妨害磁界の発生方法を提供すること。【解決手段】磁気記録媒体処理装置の妨害磁界発生装置４０において、スイッチ制御部４５は、複数のスイッチ４３を制御して、第１電源ライン４６と第２電源ライン４７との間でコイル４１１とキャパシタ４１２とが直列に電気的に接続された第１妨害磁界発生モードＭ１を実行した後、第１妨害磁界発生モードＭ１で充電されたキャパシタ４１２の電荷でコイル４１１を駆動する第２妨害磁界発生モードＭ２を実行する。このため、第１妨害磁界発生モードＭ１と第２妨害磁界発生モードＭ２とにおいて異なる妨害磁界を発生させるので、スキミングヘッドによって妨害磁界を解析することが困難である。このため、不正な読み取りを防止しやすい。【選択図】図３
2019012582.tif 000002
【特許請求の範囲】
【請求項１】
磁気記録媒体挿入口と、
前記磁気記録媒体挿入口と繋がる媒体通路と、
前記媒体通路に面して配置される磁気ヘッドと、
前記磁気記録媒体挿入口の外側に妨害磁界を発生させる妨害磁界発生装置と、
を有し、
前記妨害磁界発生装置は、
コイルと
キャパシタと、
第１電源ラインと、
前記第１電源ラインと異なる電圧が印加される第２電源ラインと、
前記コイルおよび前記キャパシタの前記第１電源ラインおよび前記第２電源ラインとの接続を切り換える複数のスイッチと、
前記複数のスイッチを制御して、前記第１電源ラインと前記第２電源ラインとの間で前記コイルと前記キャパシタとを直列に電気的に接続した第１妨害磁界発生モードを実行した後、前記第１妨害磁界発生モードの際に前記キャパシタに蓄積された電荷によって前記コイルを発振させる第２妨害磁界発生モードを実行するスイッチ制御部と、
を有することを特徴とする磁気記録媒体処理装置。
【請求項２】
前記複数のスイッチは、前記コイルの一方端側と前記キャパシタの一方端側とが接続する第１接続ノードと前記第２電源ラインとの間に設けられた第１スイッチと、前記コイルの他方端および前記キャパシタの他方端のうちの一方と前記第１電源ラインとの間に設けられた第２スイッチと、前記コイルの他方端および前記キャパシタの他方端のうちの一方と前記第２電源ラインとの間に設けられた第３スイッチと、前記コイルの他方端および前記キャパシタの他方端のうちの他方と前記第２電源ラインとの間に設けられた第４イッチと、を含み、
前記スイッチ制御部は、前記第１スイッチ、前記第２スイッチおよび前記第４スイッチをオンにし、前記第３スイッチをオフにして前記第１妨害磁界発生モードを実行し、前記第３スイッチおよび前記第４スイッチをオンにし、前記第１スイッチおよび前記第２スイッチをオフにして前記第２妨害磁界発生モードを実行することを特徴とする請求項１に記載の磁気記録媒体処理装置。
【請求項３】
前記複数のスイッチは、さらに、前記コイルの他方端および前記キャパシタの他方端のうちの他方と前記第１電源ラインとの間に設けられた第５スイッチを含み、
前記スイッチ制御部は、前記第１スイッチ、前記第３スイッチおよび前記第５スイッチをオンにし、前記第２スイッチおよび前記第４スイッチをオフにして第３妨害磁界発生モードを実行した後、前記第３スイッチおよび前記第４スイッチをオンにし、前記第１スイッチ、前記第２スイッチおよび前記第５スイッチをオフにして第４妨害磁界発生モードを実行することを特徴とする請求項２に記載の磁気記録媒体処理装置。
【請求項４】
磁気記録媒体挿入口と、
前記磁気記録媒体挿入口と繋がる媒体通路と、
前記媒体通路に面して配置される磁気ヘッドと、
を有する磁気記録媒体処理装置において前記磁気記録媒体挿入口の外側に妨害磁界を発生させる妨害磁界発生方法であって、
コイルと
キャパシタと、
第１電源ラインと、
前記第１電源ラインと異なる電圧が印加される第２電源ラインと、
前記コイルおよび前記キャパシタの前記第１電源ラインおよび前記第２電源ラインとの接続を切り換える複数のスイッチと、
前記複数のスイッチを制御するスイッチ制御部と、
を設け、
前記スイッチ制御部は、前記複数のスイッチを制御して、前記第１電源ラインと前記第２電源ラインとの間で前記コイルと前記キャパシタとを直列に電気的に接続した第１妨害磁界発生モードを実行した後、前記第１妨害磁界発生モードの際に前記キャパシタに蓄積された電荷によって前記コイルを発振させる第２妨害磁界発生モードを実行することを特徴とする磁気記録媒体処理装置における妨害磁界発生方法。
【請求項５】
前記複数のスイッチは、前記コイルの一方端側と前記キャパシタの一方端側とが接続する第１接続ノードと前記第２電源ラインとの間に設けられた第１スイッチと、前記コイルの他方端および前記キャパシタの他方端のうちの一方と前記第１電源ラインとの間に設けられた第２スイッチと、前記コイルの他方端および前記キャパシタの他方端のうちの一方と前記第２電源ラインとの間に設けられた第３スイッチと、前記コイルの他方端および前記キャパシタの他方端のうちの他方と前記第２電源ラインとの間に設けられた第４スイッチと、を含み、
前記スイッチ制御部は、前記第１スイッチ、前記第２スイッチおよび前記第４スイッチをオンにし、前記第３スイッチをオフにして前記第１妨害磁界発生モードを実行し、前記第３スイッチおよび前記第４スイッチをオンにし、前記第１スイッチおよび前記第２スイッチをオフにして前記第２妨害磁界発生モードを実行することを特徴とする請求項４に記載の磁気記録媒体処理装置における妨害磁界発生方法。
【請求項６】
前記複数のスイッチは、さらに、前記コイルの他方端および前記キャパシタの他方端のうちの他方と前記第１電源ラインとの間に設けられた第５スイッチを含み、
前記スイッチ制御部は、前記第１スイッチ、前記第３スイッチおよび前記第５スイッチをオンにし、前記第２スイッチおよび前記第４スイッチをオフにして第３妨害磁界発生モードを実行した後、前記第３スイッチおよび前記第４スイッチをオンにし、前記第１スイッチ、前記第２スイッチおよび前記第５スイッチをオフにして第４妨害磁界発生モードを実行することを特徴とする請求項５に記載の磁気記録媒体処理装置における妨害磁界発生方法。
【発明の詳細な説明】
【技術分野】
【０００１】
本発明は、磁気情報が記録されたカード等の磁気記録媒体を搬送して磁気情報の読取りや書込みを行う磁気記録媒体処理装置における妨害磁界の発生技術に関するものである。
【背景技術】
【０００２】
磁気情報が記録されたカード（磁気記録媒体）を取り込み、搬送路に沿ってカードを搬送して、搬送路に配置された磁気ヘッドによって磁気情報の読取りあるいは書込みを行う磁気記録媒体処理装置に対して、カードを挿入する挿入口の外側に磁気ヘッド（スキミングヘッド）を取り付けて不正に磁気情報を取得する不正行為が行われることがある。このような不正行為への対策として、挿入口の外側の領域に妨害磁界を発生させ、磁気情報の不正な読み取りを妨害する妨害磁界発生装置が用いられる。
【０００３】
かかる妨害磁界発生装置として、コイルとキャパシタを並列に接続した共振回路を設け、共振させることにより妨害磁界を発生させる技術が提案されている（特許文献１参照）。また、トランジスタ等のスイッチによってコイルを備えたＨブリッジ回路を構成し、Ｈブリッジ回路とは別に設けたキャパシタとコイルとが直列に電気的接続された状態になった際、駆動電圧とキャパシタに充電された電圧とがコイルに印加されるようにした技術も提案されている（特許文献２参照）。
【先行技術文献】
【特許文献】
【０００４】
【特許文献１】特開２０１６−１４９８６号公報
【特許文献２】特開２０１４−１２８１７５号公報
【発明の概要】
【発明が解決しようとする課題】
【０００５】
特許文献１に記載の技術では、コイルとキャパシタとの並列共振を利用して妨害磁界を発生させる。これに対して、特許文献２に記載の技術では、コイルとキャパシタとの直列共振を利用して妨害磁界を発生させる。しかしながら、特許文献１、２に記載の技術では、各々、常に同一波形の妨害磁界を発生させるため、スキミングヘッドによって妨害磁界を解析すれば、妨害磁界の影響を回避しながら不正な読み取りが実行されるおそれがある。
【０００６】
以上の問題点に鑑みて、本発明では、解析されにくい妨害磁界を発生させることのできる磁気記録媒体処理装置、および磁気記録媒体処理装置における妨害磁界発生方法を提供することにある。
【課題を解決するための手段】
【０００７】
上記課題を解決するために、本発明の磁気記録媒体処理装置は、磁気記録媒体挿入口と、前記磁気記録媒体挿入口と繋がる媒体通路と、前記媒体通路に面して配置される磁気ヘッドと、前記磁気記録媒体挿入口の外側に妨害磁界を発生させる妨害磁界発生装置と、を有し、前記妨害磁界発生装置は、コイルと、キャパシタと、第１電源ラインと、前記第１電源ラインと異なる電圧が印加される第２電源ラインと、前記コイルおよび前記キャパシタの前記第１電源ラインおよび前記第２電源ラインとの接続を切り換える複数のスイッチと、前記複数のスイッチを制御して、前記第１電源ラインと前記第２電源ラインとの間で前記コイルと前記キャパシタとを直列に電気的に接続した第１妨害磁界発生モードを実行した後、前記第１妨害磁界発生モードの際に前記キャパシタに蓄積された電荷によって前
記コイルを発振させる第２妨害磁界発生モードを実行するスイッチ制御部と、を有することを特徴とする。
【０００８】
また、本発明は、磁気記録媒体挿入口と、前記磁気記録媒体挿入口と繋がる媒体通路と、前記媒体通路に面して配置される磁気ヘッドと、を有する磁気記録媒体処理装置において前記磁気記録媒体挿入口の外側に妨害磁界を発生させる妨害磁界発生方法であって、コイルと、キャパシタと、第１電源ラインと、前記第１電源ラインと異なる電圧が印加される第２電源ラインと、前記コイルおよび前記キャパシタの前記第１電源ラインおよび前記第２電源ラインとの接続を切り換える複数のスイッチと、前記複数のスイッチを制御するスイッチ制御部と、を設け、前記スイッチ制御部は、前記複数のスイッチを制御して、前記第１電源ラインと前記第２電源ラインとの間で前記コイルと前記キャパシタとを直列に電気的に接続した第１妨害磁界発生モードを実行した後、前記第１妨害磁界発生モードの際に前記キャパシタに蓄積された電荷によって前記コイルを発振させる第２妨害磁界発生モードを実行することを特徴とする。
【０００９】
本発明では、スイッチ制御部によって複数のスイッチを制御することにより、第１電源ラインと第２電源ラインとの間でコイルとキャパシタとが直列に電気的に接続された第１妨害磁界発生モードと、キャパシタに蓄積された電荷によってコイルを発振させる第２妨害磁界発生モードとを実行するため、異なる妨害磁界を発生させることができる。従って、スキミングヘッドによって妨害磁界を解析することが困難であるため、不正な読み取りを防止しやすい。
【００１０】
本発明に係る磁気記録媒体処理装置、および妨害磁界発生方法において、前記複数のスイッチは、前記コイルの一方端側と前記キャパシタの一方端側とが接続する第１接続ノードと前記第２電源ラインとの間に設けられた第１スイッチと、前記コイルの他方端および前記キャパシタの他方端のうちの一方と前記第１電源ラインとの間に設けられた第２スイッチと、前記コイルの他方端および前記キャパシタの他方端のうちの一方と前記第２電源ラインとの間に設けられた第３スイッチと、前記コイルの他方端および前記キャパシタの他方端のうちの他方と前記第２電源ラインとの間に設けられた第４スイッチと、を含み、前記スイッチ制御部は、前記第１スイッチ、前記第２スイッチおよび前記第４スイッチをオンにし、前記第３スイッチをオフにして前記第１妨害磁界発生モードを実行し、前記第３スイッチおよび前記第４スイッチをオンにし、前記第１スイッチおよび前記第２スイッチをオフにして前記第２妨害磁界発生モードを実行する態様を採用することができる。
【００１１】
本発明に係る磁気記録媒体処理装置、および妨害磁界発生方法において、前記複数のスイッチは、さらに、前記コイルの他方端および前記キャパシタの他方端のうちの他方と前記第１電源ラインとの間に設けられた第５スイッチを含み、前記スイッチ制御部は、前記第１スイッチ、前記第３スイッチおよび前記第５スイッチをオンにし、前記第２スイッチおよび前記第４スイッチをオフにして第３妨害磁界発生モードを実行した後、前記第３スイッチおよび前記第４スイッチをオンにし、前記第１スイッチ、前記第２スイッチおよび前記第５スイッチをオフにして第４妨害磁界発生モードを実行する態様を採用することができる。
【発明の効果】
【００１２】
本発明では、スイッチ制御部によって複数のスイッチを制御することにより、第１電源ラインと第２電源ラインとの間でコイルとキャパシタとが直列に電気的に接続された第１妨害磁界発生モードと、キャパシタに蓄積された電荷によってコイルを発振させる第２妨害磁界発生モードとを実行するため、異なる妨害磁界を発生させることができる。従って、スキミングヘッドによって妨害磁界を解析することが困難であるため、不正な読み取りを防止しやすい。
【図面の簡単な説明】
【００１３】
【図１】本発明の実施形態に係る磁気記録媒体処理装置を模式的に示す説明図である。
【図２】図１に示す磁気記録媒体処理装置に設けた妨害磁界発生装置の構成を示す説明図である。
【図３】図１に示す磁気記録媒体処理装置に設けた妨害磁界発生装置の構成を示す説明図である。
【図４】図３に示す妨害磁界発生装置の電流経路を示す説明図である。
【図５】図３に示す妨害磁界発生装置の別の電流経路を示す説明図である。
【図６】図６に示す妨害磁界発生装置の動作を示す説明図である。
【図７】図１に示す磁気記録媒体処理装置に設けた妨害磁界発生装置の変形例を示す説明図である。
【図８】図７に示す妨害磁界発生装置の回路構成を示す説明図である。
【発明を実施するための形態】
【００１４】
図面を参照しながら、本発明を適用した磁気記録媒体処理装置の実施形態を説明する。
【００１５】
（全体構成）
図１は、本発明の実施形態に係る磁気記録媒体処理装置１を模式的に示す説明図であり、図１（ａ）は側方から見た磁気記録媒体処理装置１の概略構成図であり、図１（ｂ）は正面から見た磁気記録媒体処理装置１の概略構成図である。なお、以下の説明において、Ｘ方向およびＹ方向は互いに直交する方向である。Ｙ方向は、搬送路２２が延在する前後方向であり、Ｙ方向の一方側を前方Ｙ１とし、他方側を後方Ｙ２として説明する。Ｘ方向は搬送路２２の幅方向である。図１（ｂ）は磁気記録媒体処理装置１を前方Ｙ１から見た場合の各部の配置を示している。
【００１６】
図１に示す磁気記録媒体処理装置１は、カードなどの磁気情報が記録された磁気記録媒体２を搬送して、磁気記録媒体２に記録された磁気情報の読取りおよび磁気記録媒体２への磁気情報の書込みの少なくとも一方を行う装置である。磁気記録媒体処理装置１は、例えば、ＡＴＭ（Ａｕｔｏｍａｔｅｄ  Ｔｅｌｌｅｒ  Ｍａｃｈｉｎｅ）等の装置に搭載されて使用される。磁気記録媒体処理装置１は、磁気記録媒体挿入口１１を備えたゲート部１０と、磁気ヘッド２１を備えた装置本体２０を有している。装置本体２０の内部には、磁気記録媒体挿入口１１と繋がる搬送路２２（媒体通路）が形成され、磁気ヘッド２１は搬送路２２に面して配置されている。ゲート部１０には、磁気記録媒体挿入口１１と搬送路２２を繋ぐ磁気記録媒体挿入路１２が形成されている。装置本体２０は、搬送路２２に沿って磁気記録媒体２を搬送する搬送装置３０を備えている。
【００１７】
ゲート部１０は装置本体２０の前面から前方Ｙ１に突出している。磁気記録媒体挿入口１１はゲート部１０の前面に設けられ、幅方向Ｘに延在する。ゲート部１０は、磁気記録媒体挿入口１１の近傍に検知部１３およびプリヘッド１４を備えている。検知部１３は、磁気記録媒体挿入口１１に磁気記録媒体２が挿入されたことを検知する挿入検知機構である。検知部１３としては、挿入された磁気記録媒体２と接触する検知部材を備えている接触式のセンサ、あるいは、光学式のセンサなどが用いられる。プリヘッド１４は、挿入された磁気記録媒体２に磁気情報が記録されていることを検知するための磁気センサを備えている。
【００１８】
ゲート部１０の内側には妨害磁界発生装置４０が配置されており、妨害磁界発生装置４０は、磁気記録媒体挿入口１１の外側、すなわち、磁気記録媒体挿入口１１の前方Ｙ１に妨害磁界を発生させる。妨害磁界発生装置４０は、後述するように、妨害磁界発生用のコイル４１１を備えている。妨害磁界発生装置４０は、コイル４１１への通電のオンオフを
切り換えることにより、妨害磁界を発生または停止させる。従って、図１（ａ）に一点鎖線で示すように、磁気記録媒体挿入口１１の外側に磁気ヘッド６１（スキミングヘッド）を備えたスキマー６０を取り付けて不正に磁気情報を取得する不正行為が行われようとした際、妨害磁界によって磁気情報の不正な読み取りを防止することができる。妨害磁界発生装置４０は、磁気記録媒体２に記録される磁気情報に影響を及ぼさない程度の妨害磁界を発生させる。
【００１９】
搬送装置３０は、磁気記録媒体２に接触して磁気記録媒体２を搬送する搬送ローラ３１と、搬送ローラ３１に磁気記録媒体２を押し付ける押圧ローラ３２と、駆動源であるモータ３３と、モータ３３の回転を搬送ローラ３１に伝達する駆動力伝達機構３４とを備えている。搬送ローラ３１は、搬送路２２に沿って前後方向Ｙに所定間隔で複数配置される。複数の搬送ローラ３１は各々、押圧ローラ３２と搬送路２２を挟んで対向する。駆動力伝達機構３４は、搬送ローラ３１の回転軸に取り付けられたプーリにベルトを架け渡した第１ベルト機構３５と、第１ベルト機構３５のプーリのうちの１つにモータ３３の回転を伝達する第２ベルト機構３６を備えている。なお、駆動力伝達機構３４は、このような構成に限定されるものではなく、適宜変更可能である。
【００２０】
複数の搬送ローラ３１は、搬送ローラ３１Ａ、３１Ｃ、３１Ｂを含む。これらのうちで最も前方Ｙ１に位置する搬送ローラ３１Ａは、搬送路２２の前端に配置される。搬送ローラ３１Ａの後方Ｙ２には、搬送ローラ３１Ｂ、３１Ｃがこの順で配置される。磁気ヘッド２１は、搬送ローラ３１Ｂ、３１Ｃの間に配置される。なお、搬送ローラ３１の数は３個以外であってもよく、その配置も図１（ａ）のような配置に限定されるものではない。また、搬送装置３０として搬送ローラ以外の機構を用いることもできる。例えば、ベルト機構によって磁気記録媒体２を搬送することもできる。搬送装置３０は、モータ３３の回転方向および回転速度を制御することにより、磁気記録媒体２の搬送方向や搬送速度等を切り換えることができる。
【００２１】
（制御系）
磁気記録媒体処理装置１は、磁気ヘッド２１、搬送装置３０、および妨害磁界発生装置４０を制御する制御部５０を備えている。制御部５０には、検知部１３およびプリヘッド１４の出力が入力され、制御部５０は、搬送装置３０および妨害磁界発生装置４０を制御して、搬送路２２への磁気記録媒体２の取り込み動作および搬送路２２からの磁気記録媒体２の排出動作を行う。例えば、検知部１３の出力が磁気記録媒体なしを示す信号から磁気記録媒体ありを示す信号に切り換わると、搬送装置３０のモータ３３を低速回転用の回転速度で駆動開始して磁気記録媒体２の搬送を開始するとともに、妨害磁界発生装置４０のコイル４１１への通電を開始して妨害磁界を発生させる。
【００２２】
なお、本形態では、プリヘッド１４によって磁気記録媒体２に磁気情報が記録されていることが検知されるため、制御部５０は、プリヘッド１４の出力に基づいて磁気記録媒体２の搬送およびコイル４１１への通電を開始することもできる。かかる構成によれば、検知部１３を設ける必要がないとともに、挿入された磁気記録媒体２が磁気カードである場合のみ妨害磁界を発生させることができる。
【００２３】
（妨害磁界発生装置４０の構成）
図２は、図１に示す磁気記録媒体処理装置１に設けた妨害磁界発生装置４０の構成を示す説明図である。図３は、図１に示す妨害磁界発生装置４０の回路構成を示す説明図である。
【００２４】
図２および図３に示すように、妨害磁界発生装置４０は、コイル４１１およびキャパシタ４１２を備えた発振回路４１と、第１電源ライン４６と、第１電源ライン４６と異なる
電圧が印加される第２電源ライン４７と、第１電源ライン４６および第２電源ライン４７と発振回路４１（コイル４１１およびキャパシタ４１２）との接続を切り換える複数のスイッチ４３と、スイッチ４３を制御するスイッチ制御部４５とを有している。第１電源ライン４６は、直流電源回路（図示せず）から駆動電圧Ｖｄｄが印加され、第２電源ライン４７はＧＮＤに電気的接続されている。コイル４１１は、コイル線からなる構成、あるいは鉄心にコイル線を巻いた構成を有している。
【００２５】
本形態においては、スイッチ制御部４５は、図４および図６を参照して後述するように、複数のスイッチ４３を制御して、第１電源ライン４６と第２電源ライン４７との間でコイル４１１とキャパシタ４１２とが直列に電気的に接続された第１妨害磁界発生モードＭ１を実行した後、第１妨害磁界発生モードＭ１においてキャパシタ４１２に蓄積された電荷を放出してコイル４１１を駆動する第２妨害磁界発生モードＭ２を実行する。また、スイッチ制御部４５は、図５および図６を参照して後述するように、複数のスイッチ４３を制御して、第１電源ライン４６と第２電源ライン４７との間でコイル４１１とキャパシタ４１２とを直列に電気的に接続して第１妨害磁界発生モードＭ１とは逆極性でコイル４１１およびキャパシタ４１２を駆動する第３妨害磁界発生モードＭ３を実行した後、第３妨害磁界発生モードＭ３においてキャパシタ４１２に蓄積された電荷を放出してコイル４１１を駆動する第４妨害磁界発生モードＭ４を実行する。
【００２６】
本形態において、複数のスイッチ４３は、第１スイッチ４３１、第２スイッチ４３２、第３スイッチ４３３、第４スイッチ４３４、および第５スイッチ４３５を含んでいる。本形態において、第２スイッチ４３２、第３スイッチ４３３、第４スイッチ４３４、および第５スイッチ４３５は、駆動ＩＣ４５０に設けられており、第１スイッチ４３１は、外部接続された構造になっている。従って、スイッチ制御部４５は、駆動ＩＣ４５０および第１スイッチ４３１を制御する。
【００２７】
ここで、第２スイッチ４３２、第３スイッチ４３３、第４スイッチ４３４、および第５スイッチ４３５は、バイポーラトランジスタ等からなり、スイッチ制御部４５は、駆動ＩＣ４５０においてバイポーラトランジスタのベースに印加する制御信号を制御する。第１スイッチ４３１は、電界効果型トランジスタをベースに組み込んだ絶縁ゲートバイポーラトランジスタ（ＩＧＢＴ／Insulated Gate Bipolar Transistor）であり、スイッチ制御部４５は、電界効果型トランジスタのＭＯＳ電極に印加する制御信号を制御する。かかる第１スイッチ４３１は、第２スイッチ４３２、第３スイッチ４３３、第４スイッチ４３４、および第５スイッチ４３５よりオン抵抗が大である。
【００２８】
第１スイッチ４３１は、コイル４１１の一方端４１１ａ側とキャパシタ４１２の一方端４１２ａ側とが接続する第１接続ノード４４１と第２電源ライン４７との間に設けられている。第２スイッチ４３２は、コイル４１１の他方端４１１ｂ側とキャパシタ４１２の他方端４１２ｂ側のうちの一方と第１電源ライン４６との間に設けられている。第３スイッチ４３３は、コイル４１１の他方端４１１ｂ側とキャパシタ４１２の他方端４１２ｂ側のうちの一方と第２電源ライン４７との間に設けられている。第４スイッチ４３４は、コイル４１１の他方端４１１ｂ側とキャパシタ４１２の他方端４１２ｂ側のうちの他方と第２電源ライン４７との間に設けられている。第５スイッチ４３５は、コイル４１１の他方端４１１ｂ側とキャパシタ４１２の他方端４１２ｂ側のうちの他方と第１電源ライン４６との間に設けられている。
【００２９】
本形態において、第２スイッチ４３２は、コイル４１１の他方端４１１ｂ側と第１電源ライン４６との間に設けられている。第３スイッチ４３３は、コイル４１１の他方端４１１ｂと第２電源ライン４７との間に設けられている。第４スイッチ４３４は、キャパシタ４１２の他方端４１２ｂ側と第２電源ライン４７との間に設けられている。第５スイッチ
４３５は、キャパシタ４１２の他方端４１２ｂ側と第１電源ライン４６との間に設けられている。
【００３０】
従って、コイル４１１の他方端４１１ｂは、第２スイッチ４３２と第３スイッチ４３３とが接続する第２接続ノード４４２に接続し、キャパシタ４１２の他方端４１２ｂは、第４スイッチ４３４と第５スイッチ４３５とが接続する第３接続ノード４４３に接続している。すなわち、第１電源ライン４６と第２電源ライン４７との間には、第２スイッチ４３２、第３スイッチ４３３、第４スイッチ４３４、および第５スイッチ４３５を備えたＨブリッジ回路４３０が設けられている。また、第３スイッチ４３３と第４スイッチ４３４とが接続する第４接続ノード４４４には、第２電源ライン４７が接続しており、第１スイッチ４３１は、第１接続ノード４４１と第４接続ノード４４４との間に設けられている。また、第２スイッチ４３２と第５スイッチ４３５とが接続する第５接続ノード４４５には、第１電源ライン４６が接続している。
【００３１】
（動作）
図４は、図３に示す妨害磁界発生装置４０の電流経路を示す説明図であり、図４（ａ）、（ｂ）は、第１妨害磁界発生モードＭ１の説明図、および第２妨害磁界発生モードＭ２の説明図である。図５は、図３に示す妨害磁界発生装置４０の別の電流経路を示す説明図であり、図５（ａ）、（ｂ）は、第３妨害磁界発生モードＭ３の説明図、および第４妨害磁界発生モードＭ４の説明図である。図６は、図３に示す妨害磁界発生装置４０の動作を示す説明図であり、スイッチ４３のｏｎ・ｏｆｆ状態を示してある。
【００３２】
本形態の磁気記録媒体処理装置１において、図３および図６に示すように、磁気記録媒体２が挿入されていない休止モードＭ０では、スイッチ制御部４５は、第１スイッチ４３１、第２スイッチ４３２、第３スイッチ４３３、第４スイッチ４３４、および第５スイッチ４３５をオフ状態とする。
【００３３】
そして、磁気記録媒体２が挿入されると、制御部５０は、検知部１３の出力、あるいはプリヘッド１４に出力に基づいて、妨害磁界発生装置４０に妨害磁界を発生させるように指令する。かかる指令に基づいて、スイッチ制御部４５は、スイッチ制御部４５は、図４（ａ）および図６に示すように、第１スイッチ４３１、第２スイッチ４３２および第４スイッチ４３４をオンにし、第３スイッチ４３３、および第５スイッチ４３５をオフにして、第１電源ライン４６と第２電源ライン４７との間でコイル４１１とキャパシタ４１２とが直列に電気的に接続された第１妨害磁界発生モードＭ１を実行する。第１妨害磁界発生モードＭ１では、第１妨害磁界を発生させるとともに、第１スイッチ４３１のオン抵抗と、第４スイッチ４３４のオン抵抗との差に起因して、キャパシタ４１２が充電される。
【００３４】
次に、スイッチ制御部４５は、図４（ｂ）および図６に示すように、第３スイッチ４３３および第４スイッチ４３４をオンにし、第１スイッチ４３１、第２スイッチ４３２、および第５スイッチ４３５をオフにして第２妨害磁界発生モードＭ２を実行する。第２妨害磁界発生モードＭ２では、キャパシタ４１２に充電されていた電荷によってコイル４１１を駆動し、第１妨害磁界発生モードＭ１と異なる妨害磁界を発生させる。従って、第１妨害磁界発生モードＭ１と第２妨害磁界発生モードＭ２とでは異なる妨害磁界が発生する。それ故、スキミングヘッドによって妨害磁界を解析することが困難であるため、不正な読み取りを防止しやすい。
【００３５】
また、本形態において、スイッチ制御部４５は、図５（ａ）および図６に示すように、第１スイッチ４３１、第３スイッチ４３３および第５スイッチ４３５をオンにし、第２スイッチ４３２、および第４スイッチ４３４をオフにして、第１電源ライン４６と第２電源ライン４７との間でコイル４１１とキャパシタ４１２とが直列に電気的に接続された第３
妨害磁界発生モードＭ３を実行する。第３妨害磁界発生モードＭ３では、第１妨害磁界発生モードＭ１とは逆極性でコイル４１１およびキャパシタ４１２を駆動し、第３妨害磁界を発生させる。第３妨害磁界発生モードＭ３では、第１スイッチ４３１のオン抵抗と、第３スイッチ４３３のオン抵抗との差に起因して、キャパシタ４１２が充電される。
【００３６】
次に、スイッチ制御部４５は、図５（ｂ）および図６に示すように、第３スイッチ４３３および第４スイッチ４３４をオンにし、第１スイッチ４３１、第２スイッチ４３２、および第５スイッチ４３５をオフにして第４妨害磁界発生モードＭ４を実行する。第４妨害磁界発生モードＭ４では、キャパシタ４１２に充電されていた電荷によってコイル４１１を駆動し、第３妨害磁界発生モードＭ３と異なる妨害磁界を発生させる。従って、スキミングヘッドによって妨害磁界を解析することが困難であるため、不正な読み取りを防止しやすい。
【００３７】
（妨害磁界発生部の別の構成例）
図７は、図１に示す磁気記録媒体処理装置１に設けた妨害磁界発生装置４０の変形例を示す説明図である。図８は、図７に示す妨害磁界発生装置４０の回路構成を示す説明図である。なお、本形態に基本的な構成は、上記実施の形態と同様であるため、共通する部分には同一の符号を付してそれらの説明を省略する。
【００３８】
図７および図８に示すように、本形態では、コイル４１１とキャパシタ４１２との第１接続ノード４４１と、キャパシタ４１２の一方端４１２ａとの間に第６スイッチ４３６が設けてある。従って、図４（ａ）を参照して説明した第１妨害磁界発生モードＭ１を実施する前に、第６スイッチ４３６を所定のタイミングで開閉することにより、第１妨害磁界発生モードＭ１の前に、コイル４１１のみに給電するモード等を実行することができる。
【００３９】
（他の実施の形態）
上記形態は、本発明の好適な形態の一例ではあるが、これに限定されるものではなく、本発明の要旨を変更しない範囲において変形が可能である。例えば、上記実施の本形態では、磁気記録媒体２が挿入される際に妨害磁界を発生させたが、磁気記録媒体２が挿入される際、および磁気記録媒体２が排出される際の双方において妨害磁界を発生させてもよい。
【符号の説明】
【００４０】
１…磁気記録媒体処理装置、２…磁気記録媒体、１０…ゲート部、１１…磁気記録媒体挿入口、１２…磁気記録媒体挿入路、１３…検知部、１４…プリヘッド、２０…装置本体、２１、６１…磁気ヘッド、２２…搬送路（媒体通路）、３０…搬送装置、３３…モータ、３４…駆動力伝達機構、４０…妨害磁界発生装置、４１…共振回路、４３…スイッチ、４５…スイッチ制御部、４６…第１電源ライン、４７…第２電源ライン、５０…制御部、６０…スキマー、４１１…コイル、４１２…キャパシタ、４３０…Ｈブリッジ回路、４３１…第１スイッチ、４３２…第２スイッチ、４３３…第３スイッチ、４３４…第４スイッチ、４３５…第５スイッチ、４３６…第６スイッチ、Ｍ０…休止モード、Ｍ１…第１妨害磁界発生モード、Ｍ２…第２磁界発生モード、Ｍ３…第３磁界発生モード、Ｍ４…第４磁界発生モード
【図１】
2019012582.tif 000003
【図２】
2019012582.tif 000004
【図３】
2019012582.tif 000005
【図４】
2019012582.tif 000006
【図５】
2019012582.tif 000007
【図６】
2019012582.tif 000008
【図７】
2019012582.tif 000009
【図８】
2019012582.tif 000010